(57)【特許請求の範囲】
【請求項１】
移動金型に固定されるカムベースと、固定金型に固定されるカムドライバーと、前記カムベースに支持されて前記カムドライバーとのカム作用により所定方向に往復移動されるとともに固着された加工具で加工対象物を加工するカムスライダーとで構成される吊りカムユニットであって、
前記カムスライダーは前記カムベースの側方に設けられた落下防止プレートによって摺動自在に支持されており、
前記カムスライダーを前記加工対象物と反対側に移動させて前記カムベースから抜き出せるように、当該カムベースのカム面に固着されるベースプレートを前部と側部と後部とにプレート分割体として分割し、前記前部のプレート分割体と前記側部のプレート分割体とを前記カムベースに固定具で固定し、前記後部のプレート分割体を前記側部のプレート分割体の後端面に着脱自在にボルトで固定したこと、
を特徴とするカムユニット。
【請求項２】
カムスライダーの上面には戻しバネの付勢力を受けるコ字型のバネ受部材が固着されているとともに、該バネ受部材の後方端部が別体の受横架材に分割されボルトで当該バネ受部材の後方に固定されており、前記受横架材を前記バネ受部材から外すことでカムユニットが金型にセットされていても前記戻しバネを交換することができること、
を特徴とする請求項１に記載のカムユニット。
【発明の詳細な説明】
【０００１】
【発明の属する技術分野】
本発明は、例えば、プレス金型におけるカムユニットに係り、自動車用のボディフレームに穴を開けるために使用されるカムユニットに関する。
【０００２】
【従来の技術】
従来、移動金型と固定金型とに取り付けられるもので、カムベース，カムドライバー及びカムスライダーからなるカムユニットとしては、図５に示すように、全体幅の狭い小型の吊りカムユニットとして、移動金型側に固定されるカムベース１１と、固定金型側に固定されるカムドライバー１２と、前記カムベース１１によって押圧作用を受けて前記カムドライバー１２のガイド面１２ａに沿って移動して加工作用するカムスライダー１３と、前記カムベースが上死点に移動する際にカムスライダー１３を元位置に復帰させる戻しバネ１４と、カムスライダー１３をカムベース１１に保持するスライドキーパー１５ａと、カムベース１１が下死点から上死点へ移動するときにカムスライダー１３を強制的に戻す強制戻しフォロアー１６とから構成されているものが知られている。
【０００３】
また、図６に示すように、比較的大型の吊りカムユニットが有り、上述と同様に、カムベース１１ａと、該カムベース１１ａに固着されるベースプレート１１ｂと、カムドライバー１２ｂと、カムスライダー１３ａと、戻しバネ１４と、カムベース１１ａからカムスライダー１３ａが落下するのを防ぐ落下防止プレート１５ｂと、カムスライダー１３ａ用の強制戻しフォロアー１６とから構成されている。
【０００４】
更に、水平カムユニットとしては、図７に示すように、固定金型側に固着されるカムベース１１ｂと、移動金型側に固着されるカムドライバー１２ｃと、カムスライダー１３ｂ及び下スライダー１３ｄと、強制戻しフォロアー１６とから構成されているものが知られている。
【０００５】
【発明が解決しようとする課題】
しかしながら、上記の吊りカムユニット若しくは水平カムユニットにおいて、例えば、図８に示すように、ボディフレームに穴を開ける工具として、リテーナ１７及びパンチ１８をカムスライダー１３の工具取付面１３ｃに取り付けられると、カムスライダー１３を金型から取り外したい場合、若しくは、パンチ１８の穴開けの位置合わせをする際に戻しバネ１４の戻し作用がない状態で調整したい場合に、前記リテーナ１７及びパンチ１８の加工具を装着したままで、カムスライダーの取り外し作業をしたり、戻しバネ１４を外したり、後からカムスライダーとカムベースとの間に戻しバネ１４を装着することが困難である。
【０００６】
即ち、図９に示すように、前記リテーナ１７及びパンチ１８が存在するので、図８に示す吊りカムユニットの場合、カムドライバー１２を固定金型から外して、カムスライダー１３を外すには、カムスライダー１３をパンチ１８の作用方向に押し出す必要があるが、そうすると、パンチ１８の先端部が、金型の一部に衝突するおそれがある。結局、前記リテーナ１７及びパンチ１８を外さなくてはならないばかりか、これを外す作業自体も金型の内側に回り込んで狭い作業空間で行わなければならないので、作業しずらく手間が掛かるものである。
【０００７】
また、パンチ１８の穴開け位置の調整において、戻しバネ１４のみ金型から取り外すことは、従来のカムユニットの構造では、例えば、図６に示した大型吊りカムユニットの場合は、カムベース１１ａにボルトで固着されたベースプレート１１ｃが、図１０に示すように、一体物であることから、その後部分１１ｄが邪魔となって加工対象物と反対側に戻しバネ１４を移動させることができない。よって、前記カムスライダー１３ａを外せば、戻しバネ１４を外すことが可能であるが、上述のように当該カムスライダー１３ａを外せないので、結局、戻しバネ１４も外すことができないのである。他方、図７に示した水平カムユニットの場合も、戻しバネ１４が、図１１に示すように、下スライダー１３ｄの凹部空間内に嵌装されていて囲まれており、着脱自在な抜け防止部材１９をカムベース１１ｂ後端部から外しても、当該下スライダー１３ｄと一体化されたカムスライダー１３ｂ（図７参照）を後方に抜け出さない限り、加工対象物と反対側に移動させて取り出すことができないのである。
【０００８】
このように、従来例に係るカムユニットには、取り外し作業や工具位置合わせ作業において解決すべき課題がある。本発明に係るカムユニットは、このような課題を解消するために提案されたものである。
【０００９】
本発明に係るカムユニットの上記課題を解決するための要旨は、移動金型に固定されるカムベースと、固定金型に固定されるカムドライバーと、前記カムベースに支持されて前記カムドライバーとのカム作用により所定方向に往復移動されるとともに固着された加工具で加工対象物を加工するカムスライダーとで構成される吊りカムユニットであって、前記カムスライダーは前記カムベースの側方に設けられた落下防止プレートによって摺動自在に支持されており、前記カムスライダーを前記加工対象物と反対側に移動させて前記カムベースから抜き出せるように、当該カムベースのカム面に固着されるベースプレートを前部と側部と後部とにプレート分割体として分割し、前記前部のプレート分割体と前記側部のプレート分割体とを前記カムベースに固定具で固定し、前記後部のプレート分割体を前記側部のプレート分割体の後端面に着脱自在にボルトで固定したことである。
【００１０】
また、前記カムスライダーの上面には戻しバネの付勢力を受けるコ字型のバネ受部材が固着されているとともに、該バネ受部材の後方端部が別体の受横架材に分割されボルトで当該バネ受部材の後方に固定されており、前記受横架材を前記バネ受部材から外すことでカムユニットが金型にセットされていても前記戻しバネを交換することができることである。
【００１１】
本発明に係るカムユニットによれば、カムスライダーを支持しているカムベースの一部が分解可能であることで、金型に当該カムユニットを取り付けた後において、加工具を固着したままのカムスライダーを加工対象物と反対側に取り出して外すことができる。また、カムスライダーに固着した加工具の加工対象物に対する位置合わせ作業において、加工対象物側と反対側に付勢する戻しバネを外すことができて、加工具先端部を加工対象物に当接させたりする当該位置合わせ作業の邪魔にならず、位置合わせの調整作業が容易になる。
【００１２】
【発明の実施の形態】
次に、本発明に係るカムユニットについて図面を参照して説明する。なお、発明の理解の容易のため従来例に対応する部分には従来例と同一符号を付けて説明する。
【００１３】
本発明の第１実施例に係るカムユニット１は、図１に示すように、カムベース２を上側の移動金型に取り付ける小型の吊りカムユニットであって、当該カムベース２と、固定金型に固定されるカムドライバー１２と、前記カムベース２に支持されて前記カムドライバー１２とのカム作用により所定方向に往復移動されるとともに固着された加工具で加工対象物を加工するカムスライダー１３とで構成されている。
【００１４】
前記カムベース２は、その後方位置で上下方向に垂設した壁２ｄがある。そして、該壁２ｄには、分割小壁２ａが、ボルト２ｂによりネジ孔２ｃに螺着されることで固定され、当該壁２ｄと分割小壁２ａとで、一つの垂直壁を構成する。この壁２ｄと分割小壁２ａとが一体になって、図５に示した従来例の垂直壁１１ｅに相当するものとなっている。
【００１５】
前記壁２ｄと分割小壁２ａとの垂直壁と、カムベース２における前方の受け壁２ｅとの間に、戻しバネ１４とカムスライダー１３とが装着されることになる。
【００１６】
カムベース１２における後方の垂直壁を、前記壁２ｄと、分割体である着脱自在な分割小壁２ａとに分けたので、吊りカムユニット１は、移動金型と固定金型とに装着された後に、カムスライダー１３をカムベース２から取り外す時に、前記分割小壁２ａを取り外すことで、カムスライダー１３を、加工対象物を加工する方向（図中の一点鎖線の矢印ａ）と反対の方向（図中の実線の矢印ｂ）に引き出して取り出すことができる。
【００１７】
このカムスライダー１３の取り出し方を説明すると、まず、移動金型を上死点に位置させた後に、ボルト２ｂの締結を緩めて壁２ｄのネジ孔２ｃから外して、分割小壁２ａを壁２ｄから外す。次に、戻しバネ１４の付勢力を利用しながらカムスライダー１３を矢印方向に移動させて、引き出すものである。
【００１８】
このように、吊りカムユニット１において、移動金型にカムベース２を装着させた状態で、カムスライダー１３を加工方向と反対側に引き出して取り外すことができるので、加工具（リテーナ１７及びパンチ１８、図９参照）の交換や戻しバネ１４の交換等の作業が容易となるものである。
【００１９】
更に、図２乃至図３に示すように、本発明の第２実施例に係る大型の吊りカムユニット３においては、カムベース１１ａに固着されるベースプレート（図１０を参照）を、プレート分割体４ａ，４ｂ，４ｃに分割し、そのうち前部と側部のプレート分割体４ａ，４ｂをボルトでカムベース１１ａに固定し、後部のプレート分割体４ｃを前記プレート分割体４ａ，４ａの後端面におけるネジ孔にボルト５で固定するように構成されている。
【００２０】
上記のようにすることで、大型の吊りカムユニット３を、移動金型と固定金型にセットした後に、カムベース１１ａを移動金型に固定したままで、カムスライダー１３ａを取り外す場合には、前記プレート分割体４ｃをボルト５を緩めてプレート分割体４ａから外し、落下防止プレート１５ｂを取り外す。そして、後方にカムスライダー１３ａを移動させることで、当該カムスライダー１３ａと一体化されているコ字型のバネ受部材６がプレート分割体４ａ，４ａの上面を後方下方向にスライドし、後方にカムスライダー１３ａを引き抜くことができる。
【００２１】
また、カムスライダー１３ａの上部面に、戻しバネ１４の付勢力を受けるために固定されている前記バネ受部材６においても、その後方端部が、別体の受横架材６ａに分割されていて、ボルト６ｂで当該バネ受部材６に固定されている。よって、前記ボルト６ｂを緩めて受横架材６ａを外せば、カムユニット３が金型にセットされている状態でも、戻しバネ１４を交換することができる。
【００２２】
本発明の第３実施例に係るカムユニットは、図４に示すように、水平カムユニットにおける戻しバネ１４を、金型に当該カムユニットをセットしたままの状態で、交換できるようにしたものである。即ち、カムスライダー１３ｂ（図７参照）に固定される下スライダーを、下スライダー本体１３ｅと、バネ受け部材１３ｆとに分割するものである。
【００２３】
この下スライダーの分割により、カムスライダー１３ｂ及び下スライダー本体１３ｅを金型から取り外すことなく、移動金型を上死点位置に移動させた後に、ボルト２０を緩めて抜け防止部材１９ａをカムベース１１ｂから外し、次に、ボルト１３ｇを緩めてバネ受け部材１３ｆを下スライダー本体１３ｅ後端面から外すことで、戻しバネ１４を後方に取り出すことができる。
【００２４】
このように、カムスライダーの後方端部において、戻しバネ１４の付勢力を受ける部分を分割させることで、この戻しバネ１４の交換が容易に出来るようになるものである。
【００２５】
以上説明したように、本発明に係るカムユニットは、移動金型に固定されるカムベースと、固定金型に固定されるカムドライバーと、前記カムベースに支持されて前記カムドライバーとのカム作用により所定方向に往復移動されるとともに固着された加工具で加工対象物を加工するカムスライダーとで構成される吊りカムユニットであって、
前記カムスライダーは前記カムベースの側方に設けられた落下防止プレートによって摺動自在に支持されており、前記カムスライダーを前記加工対象物と反対側に移動させて前記カムベースから抜き出せるように、当該カムベースのカム面に固着されるベースプレートを前部と側部と後部とにプレート分割体として分割し、前記前部のプレート分割体と前記側部のプレート分割体とを前記カムベースに固定具で固定し、前記後部のプレート分割体を前記側部のプレート分割体の後端面に着脱自在にボルトで固定したので、カムスライダーに加工具を固着した状態でも、カムベースからカムスライダーを後方（加工対象物と反対側）に引き出して、取り外すことができる。また、カムベースの一部を分割体にすることで、分割体の形状が小型で且つ簡易な形状になるので、その制作も容易になるとともに、材料の歩留まり率が向上し、製作コスト低減となる。
【００２６】
また、カムスライダーの上面には戻しバネの付勢力を受けるコ字型のバネ受部材が固着されているとともに、該バネ受部材の後方端部が別体の受横架材に分割されボルトで当該バネ受部材の後方に固定されており、前記受横架材を前記バネ受部材から外すことでカムユニットが金型にセットされていても前記戻しバネを交換することができるので、前記弾性部材の交換作業が容易となるとともに、加工具の位置合わせ作業が、戻しバネの付勢力に邪魔されずにできるようになって容易になる。
【図面の簡単な説明】
【図１】本発明の第１実施例に係るカムユニット１の分解斜視図である。
【図２】同本発明の第２実施例に係るカムユニット３の分解斜視図である。
【図３】同カユユニット３のカムベースとベースプレートとの斜視図である。
【図４】同本発明の第３実施例に係る水平カムユニットにおけるカムベースと下カムスライダーの分解組立斜視図である。
【図５】従来例に係る小型の吊りカムユニットの分解斜視図である。
【図６】同従来例に係る大型の吊りカムユニットの分解斜視図である。
【図７】同従来例に係る水平カムユニットの正面図である。
【図８】同従来例に係る小型の吊りカムユニットであって、加工具を固着した状態の斜視図である。
【図９】同従来例に係る小型の吊りカムユニットであって、加工具を固着した状態の底面図である。
【図１０】同従来例に係る大型の吊りカムユニットの、カムベースの斜視図である。
【図１１】同従来例に係る水平カムユニットであって、カムベースの分解斜視図である。
【符号の説明】
１      カムユニット、    ２    カムベース、    ２ａ        分割小壁、
２ｂ    ボルト、          ２ｃ  ネジ孔、        ２ｄ        壁、
２ｅ    受け壁、          ３  大型の吊りカムユニット、
４ａ，４ｂ，４ｃ          プレート分割体、
５      ボルト、          ６    バネ受部材、    ６ａ        受横架材、
６ｂ    ボルト、          １１ａ，１１ｂ  カムベース、
１１ｃ  ベースプレート、  １１ｄ    後部分、    １１ｅ      垂直壁、
１２，１２ｂ              カムドライバー、
１３，１３ａ，１３ｂ      カムスライダー、
１３ｃ  工具取付面、      １３ｄ      下スライダー、
１３ｅ  下スライダー本体、１３ｆ      バネ受け部材、
１４    戻しバネ、        １５ａ  スライドキーパー、
１５ｂ  落下防止プレート、１６  強制戻しフォロアー、
１７    リテーナ、        １８        パンチ、
１９，１９ａ              抜け防止部材、        ２０        ボルト。
【図１】
0004796248.tif 000002
【図２】
0004796248.tif 000003
【図３】
0004796248.tif 000004
【図４】
0004796248.tif 000005
【図５】
0004796248.tif 000006
【図６】
0004796248.tif 000007
【図７】
0004796248.tif 000008
【図８】
0004796248.tif 000009
【図９】
0004796248.tif 000010
【図１０】
0004796248.tif 000011
【図１１】
0004796248.tif 000012